【事件の表示】
　平成　７年特許願第　　７１８９号「画像表示装置」拒絶査定不服審判事件〔平成　８年　７月３０日出願公開、特開平　８−１９４２０７〕について、次のとおり審決する。
【結　論】
　本件審判の請求は、成り立たない。
【理　由】
Ｉ．手続の経緯・本願発明
　本願は、平成７年１月２０日の出願であって、原審において平成１６年１１月４日付で拒絶査定がなされ、これに対し、同年１２月７日に拒絶査定に対する審判請求がなされるとともに同日に手続補正がなされ、その後当審において平成１９年６月５日付で拒絶理由通知がなされ、これに対し、同年８月１日に意見書及び補正書が提出されたものである。
　
　
　
ＩＩ．平成１９年８月１日付の手続補正についての補正却下の決定
［補正却下の決定の結論］
　平成１９年８月１日付の手続補正を却下する。
［理由］
１．補正の内容  
　本件補正は、補正前の請求項１を、以下のように補正することを含むものである。  
「【請求項１】　
　マトリクス状に配列された複数の画素を有し、これらの画素を映像信号に基づいてフィールド毎に順次書き換えて画像を表示する画像表示素子と、
　この画像表示素子を照明するバックライトと、
　前記画像表示素子における表示画像の観察位置を選択的にシフトする画素ずらし手段と、
　前記表示画像の観察位置をフィールド毎に画素の書き換え中にシフトさせるよう前記画素ずらし手段を制御すると共に、前記画像表示素子の画素の書き換え中は前記バックライトを消灯し、書き換え終了後、次のフィールドの画素の書き換え開始までの期間は前記バックライトを点灯させる制御手段とを有することを特徴とする画像表示装置。」 
 　 
 　 
２．新規事項
　上記補正は、請求項１に、表示画像の観察位置をフィールド毎に「画素の書き換え中に」シフトさせること、を追加するものである。
　
　この点について検討する。
　上記補正事項に関して、願書に最初に添付した明細書または図面には、「なお、画素ずらし手段５２は、制御手段６２によりフィールド毎に画素ずらしするように制御する。」（【００４２】）、「注視行の書き換えに同期して、画素ずらしを行う」（【００４０】）等の記載はあるものの、表示画像の観察位置をフィールド毎に「画素の書き換え中に」シフトさせることについては記載されておらず、また、上記補正事項が願書に最初に添付した明細書又は図面の記載から自明な事項であるともいえない。
　よって、上記補正は、願書に最初に添付した明細書又は図面に記載した事項の範囲内においてなされたものとはいえない。
　したがって、本件補正は、特許法第１７条の２第３項の規定に違反するものであるから、特許法第１５９条第１項で読み替えて準用する特許法第５３条第１項の規定により却下されるべきものである。
　
　
３．独立特許要件 
　上記２．において述べたとおり、本件補正は、特許法第１７条の２第３項の規定に違反するものであり、特許法第１５９条第１項で読み替えて準用する特許法第５３条第１項の規定により却下されるべきものであるが、仮に本件補正が同第１７条の２第３項の規定に違反するものでないとしたとしても、本件補正後の請求項１に記載された発明（以下、「本願補正発明」という。）は、補正前の請求項１に、「表示画像の観察位置をフィールド毎に「画素の書き換え中に」シフトさせる」との限定を付加するものであり、特許法第１７条の２第４項第２号の特許請求の範囲の減縮を目的とするものに該当し、以下に述べるとおり、特許出願の際に独立して特許を受けることができないものであるので、特許法第１５９条第１項において読み替えて準用する同法第５３条第１項の規定により却下すべきものである。 
 　 
１）刊行物記載の発明  
　本願出願前に頒布された刊行物である特開平６−３２４３２０号公報（以下、「引用刊行物１」という。）には、図面とともに以下の事項が記載されている。
（ア）「【特許請求の範囲】
【請求項１】  縦方向及び横方向に配列された複数個の画素の各々が、表示画素パターンに応じて発光することにより、画像が表示される画像表示装置と、観測者またはスクリーンとの間に、光路をフィールドごとに変更する光学部材を配すると共に、
フィールド毎に、前記光路の変更に応じて表示位置がずれている状態の前記表示画素パターンを前記画像表示装置に表示するようにした画像表示装置の解像度改善方法。」
（イ）「【請求項６】  請求項１に記載の画像表示装置の解像度改善方法において、前記光学部材は、前記画像表示装置からの光の偏波面を変更させる光学手段と、複屈折素子とで構成され、
前記光学手段により、１フィールド毎に偏波面が変更され、その変更後の光が前記複屈折素子を通過することにより前記光路の変更が行われるようにした画像表示装置の解像度改善方法。」
（ウ）「【請求項８】  縦方向及び横方向に配列された複数個の画素の各々が、表示画素パターンに応じて発光することにより画像が表示される画像表示部と、
この画像表示部と観測者またはスクリーンとの間に配設され、光路を変更するための光学部材と、
前記画像表示部において、前記表示画素パターンを、前記光学部材による光路の変更に応じてシフトするようにするシフト手段とを備える画像表示装置。」
（エ）「【請求項１１】  請求項８に記載の画像表示装置において、前記光学部材は、偏波面回転板と複屈折板とで、構成され、
前記画像表示部からの光が前記偏波面回転板、複屈折板の順に通過するように、前記光学部材が前記画像表示部と、観測者あるいはスクリーンとの間に配設されてなる画像表示装置。」
（オ）「【産業上の利用分野】この発明は、例えばＬＣＤ（液晶ディスプレイ）などのように、縦方向及び横方向に複数個の画素が配列された画像表示装置において、見掛け上、画素数を増加させて、表示画像の解像度を改善する方法及び装置に関する。」
（カ）「【００３２】次に、図５に光路変更手段としてレンズを機械的に往復摺動させるようにする場合のシステム構成例を示す。
【００３３】図５において、１０はＬＣＤ（液晶表示ディスプレイ）パネル、２０はＬＣＤドライブ回路、３１は接眼レンズ、３０は光路変更手段、４０は光路変更手段３０のドライブ回路である。ＢＬはＬＣＤの後方から光を与えて、ＬＣＤでの表示を明るくさせるためのいわゆるバックライト部材である。
【００３４】ＬＣＤパネルは、図６に示すように構成されている。すなわち、図６において、点線で囲われた部分１１は画素である。それぞれの画素１１は、薄膜トランジスタ（ＴＦＴ）１１Ｔと、液晶１１Ｌとをそれぞれ有している。この例は、画素１１は図４Ａのように配列され、ストライプフィルタＲ，Ｇ，Ｂが図のように配列され、縦方向に同一色の画素が並ぶようになっている。つまり、この例は図４に示した例のカラー表示装置の場合である。」
（キ）「【００４２】このＬＣＤパネル１０を駆動するＬＣＤドライブ回路２０は、図７に示すように構成される。すなわち、入力端子２１を通じて入力された、例えばＮＴＳＣカラー映像信号ＶＩは、ＲＧＢデコーダ２２に供給されて、赤、緑及び青の３原色信号ＶＲ，ＶＧ及びＶＢに変換される。この３原色信号ＶＲ，ＶＧ及びＶＢは、反転回路２３に供給される。
【００４３】ＲＧＢデコーダ２２では、また、入力カラー映像信号ＶＩから複合同期信号ＳＹＮＣが抽出され、この複合同期信号ＳＹＮＣがタイミング信号発生回路２４に供給される。このタイミング信号発生回路２４からは、１水平区間毎に極性反転するパルスＦＲＰが得られ、これが反転回路２３に供給されて、各原色信号ＶＲ，ＶＧ，ＶＢが、１水平区間毎に反転されて、直流分がキャンセルされる。この反転回路２３からの、１水平区間毎に、反転されていない信号と反転された信号とが交互になる各信号ＳＲ，ＳＧ，ＳＢは、図６に示した３原色信号の入力端子１７４、１７５、１７６に供給される。」
（ク）「【００４５】この例の場合、表示される画像は、１フィールド毎に水平方向にＰｃ／２（＝３ＰＨ／２；ＰＨは水平方向の画素ピッチ）だけ、垂直方向にＰｖ／２だけ、それぞれずれたものとされる。」
（ケ）「【００８６】次に、光路変更手段の他の例を、図１５〜図１７に示す。この例の光路変更手段７０は、偏波面回転板７１と、複屈折の大きい材料からなるプリズム形状の複屈折板（例えば水晶板、方解石、液晶板）７２とで構成される。
【００８７】この例の偏波面回転板７１は、液晶板７３の両面に透明電極７４、７５が被着形成されて構成され、両透明電極７４、７５間に液晶駆動電圧が印加されて、フィールド毎に偏波面が回転されて変更されて、複屈折板７２の正常光と異常光の偏波面と一致させられる。
【００８８】複屈折板７２の正常光は、例えば垂直偏波（＝偏波面９０゜）とし、異常光は水平偏波（＝偏波面０゜）とした場合、偏波面回転板７１は、１フィールド毎に偏波面を９０゜と０゜とに回転させる。」
（コ）「【００９１】この制御ドライバー８６からの液晶駆動電圧Ｓ８６が偏波面回転板７１の透明電極７４、７５間に印加される。これにより、偏波面回転板７１は、例えば奇数フィールドでは偏波面を０゜から９０゜に、偶数フィールドでは、偏波面を９０゜から０゜に、それぞれ回転させる。
【００９２】以上のような構成においては、ＬＣＤパネル１０から出射した直線偏波は、偏波面回転板７１に入射して１フィールド毎に偏波面が０゜／９０゜回転された後、複屈折板７２に入射する。そして、この複屈折板７２の通過時に、偏波面の０゜と９０゜に対応した正常光と異常光との屈折率差により、光偏向量が変わり、フィールド毎に画素パターンがシフトする。
【００９３】図１７はこの例の光学画素シフトの原理を説明するための図である。この図１７において、θはプリズム角であり、θｅは異常光（水平偏波）の屈折角、θｏは正常光（垂直偏波）の屈折角である。」
（サ）「【０１１３】図２２は、垂直走査に同期して、できるだけ同一フィールド分のみがシフトされるようにする場合の他の例で、この例は図１５〜図１７に示した例の改善例である。
【０１１４】この例においては、図２２に示すように、図１５の例の偏波面回転板７１の全画面分の透明電極７４に代えて、各水平走査ラインに対応するように分割した状態の走査ライン電極ＴＤ（透明電極）を、走査ライン数（例えば図の例では２１８ライン）だけ設ける。他は、図１５の偏波面回転板７１の構成と同様である。そして、ＬＣＤ表示パネル１０の垂直走査に同期させて走査ライン電極ＴＤｋ（ｋはライン番号；ｋ＝１，２，……２１８）と対向透明電極７５との間の走査ライン電圧Ｅｋを制御して、各走査ラインの画素からの直線偏波の偏波面を０゜から９０゜または９０゜から０゜に、垂直方向に順次回転するようにする。このときの走査ライン電圧Ｅｋの例を図２３に示す。
【０１１５】図２２の状態は、第１走査ライン電極ＴＤ１と第２走査ライン電極ＴＤ２の部分が現フィールドの書き込み領域となっており、偏波面は９０゜であり、また、第３走査ライン電極ＴＤ３以下は前フィールド表示領域であって、その偏波面は０゜である。」
　
　ここで、引用刊行物１に示された「画像表示装置」の「ＬＣＤパネル１０」は、マトリクス状に配列された複数の画素を有するものであることが図６から見て取れる。また、該「ＬＣＤパネル１０」に設けられたマトリクス状に配列された複数の画素は、「カラー映像信号」に基づいてフィールド毎に順次書き換えられて画像を表示するものであることは明らかである。
　また、引用刊行物１に示された「光路変更手段７０」は、「ＬＣＤパネル１０」における表示画像の表示位置を選択的にシフトするものであり、さらに、引用刊行物１に示された「画像表示装置」には、該表示画像の表示位置をフィールド毎にシフトさせるよう前記「光路変更手段７０」を制御する制御手段が備えられている、ということができる。
　さらに、引用刊行物１に示された「バックライト部材ＢＬ」は、「ＬＣＤパネル１０」を照明するものであることは明らかである。
　
　したがって、上記記載事項等を総合すると、引用刊行物１には次の発明（以下、「引用発明１」という。）が記載されている、といえる。
　
「マトリクス状に配列された複数の画素を有し、これらの画素をカラー映像信号に基づいてフィールド毎に順次書き換えて画像を表示するＬＣＤパネルと、
　このＬＣＤパネルを照明するバックライト部材と、
　前記ＬＣＤパネルにおける表示画像の表示位置を選択的にシフトする光路変更手段と、
　前記表示画像の表示位置をフィールド毎にシフトさせるよう前記光路変更手段を制御する制御手段とを有する画像表示装置。」
　
 　 
　同じく、特公平４−４２６５３号公報（以下、「引用刊行物２」という。）には、図面とともに下記の事項が記載されている。
（シ）「特許請求の範囲
１  ａ  間隔をおいて交差させた走査信号線と情報信号線、その交差部に形成したマトリクス状の画素、該走査信号線と情報信号線との間に配置した、印加電圧の極性に応じて一方の配向状態と他方の配向状態の何れか一方の状態に配向する強誘電性液晶を有する液晶パネル、
ｂ  発光光量が明状態と暗状態との間で周期的に変化し、該明状態と暗状態に応じた明暗識別信号を出力し、前記液晶パネルを背面から照明する様に配置した光源、
ｃ  前記走査信号線を順次走査選択して走査選択信号を印加し、前記情報信号線に、該走査選択信号と同期させて、情報に応じた情報信号を印加することによつて、走査選択された走査信号線上の画素への書込みを行ない、走査選択されていない走査信号線上の画素に対しては、該画素がその書込み状態を保持する様に、該走査選択されていない走査信号線に走査非選択信号を印加する駆動手段、
ｄ  前記駆動手段に書込みを指示する書込み指示信号を発生する手段、並びに
ｅ  前記光源の発光光量が暗状態のとき、走査選択された走査信号線上の画素への書込みを行ない、前記光源の発光光量が明状態のとき、走査選択された走査信号線上の画素への書込みを行なわない様に、前記明暗識別信号の暗識別信号と該書込み指示信号とが共に入力されたときに、駆動手段から走査信号線に走査選択信号を出力して書込みを行なう同期手段
を有することを特徴とする強誘電性液晶装置。」（第１欄第１行〜第２欄第７行）
（ス）「［作用］
  背面光源がオフになつた時に走査が始まるので、閾値以上の電圧による書込みの部分はもちんのこと、それ以外の画素における閾値以下の電圧による瞬間的な透過光量変化に対しても、画面上においてその変化を感じさせることがない。」（第４欄第２５〜３０行）
（セ）「［実施例］
  第１図は本発明による液晶表示装置の概略構成図である。第１図において、書込み命令が外部入力装置８から与えられると、表示制御部４はＢ端子から書込み指示信号を出力する。一方、背面光源駆動部３からは、背面光源のオン・オフを示す明暗識別信号がＡ端子から出力される。この２つの信号はゲート回路９に入り、ＮＡＮＤ信号となつて走査側駆動部６のシフトレジスタにシフトクロツクとして供給されるとともに、表示制御部４のＣ端子及び信号側駆動部７にラツチパルスとしても供給される。表示制御部４ではＣ端子入力の立上りエツジをカウントし、所定の走査本数に達したところでＢ端子出力を非書込み状態にする。なお、表示制御部４はこれらの動作に平行してビデオメモリからのデータを信号側駆動部７のシフトレジスタに送る動作も行なう。
  第２図は以上の動作を各信号のタイミング図であらわしたものである。第２図において、Ｌは背面光源の輝度、Ａは背面光源制御部３のＡ端子から出力される明暗識別信号、Ｂは表示制御部４のＢ端子から出力される書込み状態信号、Ｃはゲート回路９の出力信号でＡとＢのＮＡＮＤ信号を示す。走査側駆動部６のシフトレジスタ、表示制御部４のＣ端子及び信号側駆動部７のラツチはともにＣ信号の立下りエツジでトリガされるので、時刻T1に外部入力によつて表示制御部４の書込み指示信号が出力されても走査が開始されるのは時刻T2の時となる。このように、背面光源の消灯に同期させて走査開始の時刻を遅らせることにより走査期間中は背面光源が消えているようにすることができる。したがつて液晶セルの電界印加による透過率変化が画面のちらつきになつてあらわれず、見易い表示画面を得ることができる。」（第４欄第３１行〜第５欄第２０行）
　よって、これらの記載を総合すると、引用刊行物２には、以下の発明（以下、「引用発明２」という。）が記載されている、といえる。 
　
「液晶パネルの背面光源がオフになつた時、すなわち背面光源の発光光量が暗状態のときに走査選択された走査信号線上の画素への書込みを行ない、前記背面光源の発光光量が明状態のときに走査選択された走査信号線上の画素への書込みを行わないようにし、結果として液晶パネルの画素の書き換え中は背面光源が消灯され、該画素の書き換えを行っていない期間（書き換え終了後、次の画素の書き換え開始までの期間）に該背面光源が点灯されるように制御する液晶装置。」
　
　
　同じく、特開平３−１０９５９６号公報（以下、「引用刊行物３」という。）には、図面とともに下記の事項が記載されている。
（ソ）「〔産業上の利用分野〕
　本発明は光源を用いて液晶パネルに画像を表示する液晶表示装置に係わり、特に単板の液晶パネルを用いて高精細なカラー画像を表示するのに好適な液晶カラー表示装置に関する。」（第２頁右上欄第９〜１３行）
（タ）「〔実施例〕
　以下、本発明の実施例を図面を用いて詳細に説明する。
　第１図は、本発明に基づく単板液晶カラー表示装置の信号処理回路ブロック図であり、ビデオ入力端子１，クロマ回路２，同期回路３，制御回路４，デイジタル遅延回路５，極性交番回路６，液晶パネル７，３色光源８で構成し、・・・」（第３頁左下欄第３〜１０行）
（チ）「液晶パネル７では、Ｒ原色信号の入力順序にしたがつてＲの単色画像を書き込み、つぎにＧ原色信号の入力にしたがつてＧの単色画像が書き込み、最後にＢ原色信号の入力にしたがつてＢの単色画像を書き込む。
　一方、３色光源８では液晶パネル７でのＲＧＢ単色画像の書込に同期して光源の色切り換えを行なう。すなわち、液晶パネル７のＲ原色信号書込終了時点でＲ光源８１を点灯し、Ｇ原色信号書込終了時点でＧ光源８２を点灯し、Ｂ原色信号書込終了時点でＢ光源８３を点灯する。」（第３頁右下欄第１４行〜第４頁左上欄第４行）
（ツ）「第２図は、上記第１図に示すブロック図における各信号の時間関係を説明するためのタイミングチャート図である。
　第１フイールド期間の映像信号をクロマ回路２で復調して得られるＲＧＢ原色信号をそれぞれＲ１，Ｇ１，Ｂ１とおき、第２フイールドの映像信号を復調して得られるＲＧＢ原色信号をそれぞれＲ２，Ｇ２，Ｂ２とおく。
　これらの原色信号Ｒ１，Ｇ１，Ｂ１，Ｒ２，Ｇ２，Ｂ２をデイジタル遅延回路５で遅延し、液晶パネル７への書き込み信号Ｒ１，Ｇ１，Ｂ１，Ｒ２，・・・として極性交番回路６８介して液晶パネル７に印加する。なお、第２図には第１フイールド以前の映像信号に基づく原色信号Ｒ０，Ｇ０，Ｂ０も示すが、以下の説明は第１フイールド以降の映像信号に基づいて行なう。
　第２図において原色信号の復調はＲ１，Ｇ１，Ｂ１の３つが第１フィールド期間内で同時に行なうが、書き込みはＲ１，Ｇ１，Ｂ１の順に第２フィールド期間内で３回行なう。
　各原色信号の書込を時間ｔｗで行なうものとし、ざらに書込時間と書込時間との時間間隔を設けてこれをｔｌと置く。」（第４頁左上欄第１６行〜同頁右上欄第１８行）
（テ）「こうして、Ｒ１書込終了後の時間ｔｌの間にＲ光源を点灯させ、Ｇ１書込終了後の時間ｔｌの間にＧ光源を点灯させ、Ｂ１書込終了後の時間ｔｌの間にＢ光源を点灯させることにより、各単色画像を面順次で表示することができる。」（第４頁左下欄第１２〜１６行）
　
　ここで、引用刊行物３の液晶表示装置は、液晶パネルに信号（Ｒ書込信号）を書込中は光源（Ｒ光源）を消灯し、該信号（Ｒ書込信号）の書込終了時点から次の信号（Ｇ書込信号）の書込開始までの期間は該光源（Ｒ光源）を点灯するものであることを、第２図から見て取れる。
　
　よって、これらの記載を総合すると、引用刊行物３には、以下の発明（以下、「引用発明３」という。）が記載されている、といえる。 
　
「液晶パネルに信号を書込中は光源を消灯し、信号の書込終了時点から次の信号の書込開始までの期間に光源を点灯するように制御する表示装置。」
　
　
２）対比
  本願補正発明と引用発明１を対比する。
　引用発明１の「カラー映像信号」、「ＬＣＤパネル」、「バックライト部材」、「（ＬＣＤパネルにおける）表示画像の表示位置」、「光路変更手段」及び「画像表示装置」は、それぞれ本願発明の「映像信号」、「画像表示素子」、「バックライト」、「（画像表示素子における）表示画像の観察位置」、「画像ずらし手段」及び「画像表示装置」に相当する。 
　したがって、両者は、　  
 「マトリクス状に配列された複数の画素を有し、これらの画素を映像信号に基づいてフィールド毎に順次書き換えて画像を表示する画像表示素子と、
　この画像表示素子を照明するバックライトと、
　前記画像表示素子における表示画像の観察位置を選択的にシフトする画素ずらし手段と、
　前記表示画像の観察位置をフィールド毎にシフトさせるよう前記画素ずらし手段を制御する制御手段とを有する画像表示装置。」
である点で一致し、以下の相違点において相違する。
　
相違点
［相違点１］：本願補正発明の画像表示装置は、画像表示素子の画素の書き換え中はバックライトを消灯し、書き換え終了後、次のフィールドの画素の書き換え開始までの期間は前記バックライトを点灯させる制御手段を有するのに対し、引用発明１はそのような制御手段がない点。
［相違点２］：本願補正発明の画像表示装置は、表示画像の観察位置をフィールド毎に画素の書き換え中にシフトさせるよう画素ずらし手段を制御するのに対し、引用発明１はその点が明らかでない点。
　
　
３）判断  
　上記相違点につき検討する。
［相違点１］について
　液晶パネルの背面光源がオフになつた時、すなわち背面光源の発光光量が暗状態のときに走査選択された走査信号線上の画素への書込みを行ない、前記背面光源の発光光量が明状態のときに走査選択された走査信号線上の画素への書込みを行わないようにし、結果として液晶パネルの画素の書き換え中は背面光源が消灯され、該画素の書き換えを行っていない期間（書き換え終了後、次の画素の書き換え開始までの期間）に該背面光源が点灯されるように制御する液晶装置の発明（引用発明２）は引用刊行物２において知られており、この引用発明２を引用発明１に適用して上記相違点に係る本願発明の技術的事項とすることは、当業者が容易になし得ることである。
　また、液晶パネルに信号を書込中は光源を消灯し、信号の書込終了時点から次の信号の書込開始までの期間に光源を点灯するように制御する表示装置の発明（引用発明３）は引用刊行物３において知られており、この引用発明３を引用発明１に適用して上記相違点に係る本願発明の技術的事項とすることは、当業者が容易になし得ることである。
　
［相違点２］について
　画像表示装置において、表示画像が流れて観察されることがないようにすることは自明であるから、引用発明１において、表示画像の観察位置をフィールド毎にシフトさせる際に、当該シフトを画素の書き換え中に行うように画像ずらし手段を制御することは、当業者が容易になし得ることである。
　
　そして、本願補正発明によってもたされる効果は、上記引用刊行物１及び引用刊行物２または引用刊行物１及び引用刊行物３記載の発明から当業者が予測し得る程度のものである。
　
　したがって、本願補正発明は、引用刊行物１及び２に記載された発明または引用刊行物１及び３に記載された発明に基づいて当業者が容易に発明をすることができたものであるから、特許法第２９条第２項の規定により、特許出願の際独立して特許を受けることができないものである。
　
　
４）むすび  
　以上のとおり、本件補正は、特許法第１７条の２第５項において準用する同法第１２６条第５項の規定に違反するものであるから、同法第１５９条第１項の規定において読み替えて準用する同法第５３条第１項の規定により却下すべきものである。　
　
　
　
ＩＩＩ．本願発明について
１．本願発明
　平成１９年８月１日付の手続補正は上記のとおり却下されたので、本願の請求項に係る発明は、平成１６年１２月７日付手続補正によって補正された明細書及び図面の記載からみて、その特許請求の範囲の請求項１に記載された次の事項によって特定されるものである。
「【請求項１】　
　マトリクス状に配列された複数の画素を有し、これらの画素を映像信号に基づいてフィールド毎に順次書き換えて画像を表示する画像表示素子と、
　この画像表示素子を照明するバックライトと、
　前記画像表示素子における表示画像の観察位置を選択的にシフトする画素ずらし手段と、
　前記表示画像の観察位置をフィールド毎にシフトさせるよう前記画素ずらし手段を制御すると共に、前記画像表示素子の画素の書き換え中は前記バックライトを消灯し、書き換え終了後、次のフィールドの画素の書き換え開始までの期間は前記バックライトを点灯させる制御手段とを有することを特徴とする画像表示装置。」（以下、「本願発明」という。）
　
２．刊行物記載の発明
　本願の出願前に頒布され、当審における平成１９年６月５日付の拒絶理由通知において引用された引用刊行物１：特開平６−３２４３２０号公報、引用刊行物２：特公平４−４２６５３号公報、引用刊行物３：特開平３−１０９５９６号公報には、上記ＩＩ．３．１）において摘記した事項が記載されている。
　
３．対比・判断
　本願発明は、前記ＩＩ．で検討した本願補正発明から、表示画像の観察位置を（フィールド毎に）「画素の書き換え中に」シフトさせることを省いたものである。そうすると、本願発明の発明特定事項をすべて含み、さらに限定を付加したものに相当する本願補正発明が、上記ＩＩ．３．に記載したとおり、引用刊行物１及び２に記載された発明または引用刊行物１及び３に記載された発明に基づいて当業者が容易に発明することができたものであるから、本願発明も同様の理由により、引用刊行物１及び２に記載された発明または引用刊行物１及び３に記載された発明に基づいて当業者が容易に発明をすることができたものである。
　
４．むすび
　以上のとおり、本願発明は、引用刊行物１及び２に記載された発明または引用刊行物１及び３に記載された発明に基づいて当業者が容易に発明をすることができたものであるから、特許法第２９条第２項の規定により特許を受けることができない。
　
　よって、結論のとおり審決する。